(57)【要約】【課題】箱体に振動が加わる際でも折曲片の緩衝体との係合状態を維持することができる緩衝体の移動阻止構造及びこれを備えるテレビジョン装置を提供する。【解決手段】段ボール箱２内に二つの端緩衝体４，５とともに収容され、端緩衝体４，５が相互に接近する方向へ移動するのを止める移動止板に、略コ字形をなすスリットにより折曲げを可能に分断されている分断片を設け、該分断片を弾性復元を可能に略Ｖ字形に折曲げて折曲片１２，１２とし、各分断片１２の分断端に、各折曲片１２の折曲基部を中心とする移動を規制する規制凸部１４を設け、各分断片の分断端と対向する分断端に、各折曲片１２の弾性復元を規制する第２の規制凸部１５を設け、各折曲片１２の板部に対する高さ及び折曲角度を維持することができるようにした。【選択図】図１
2008222268.tif 000002
【特許請求の範囲】
【請求項１】
箱体内に収容される緩衝体の前記箱体に対する移動を阻止する移動阻止構造において、前記緩衝体と対向すべき板部が弾性復元を可能に略Ｖ字形に折曲げられ、前記緩衝体と係合すべき折曲片、及び該折曲片の折曲基部を中心とする移動を規制する規制凸部を有することを特徴とする移動阻止構造。
【請求項２】
前記折曲片は、スリットにより折曲げを可能に分断されている分断片を弾性復元を可能に折曲げてなり、前記規制凸部は前記分断片の分断端に突設されている請求項１記載の移動阻止構造。
【請求項３】
前記折曲片の弾性復元を規制する第２の規制凸部を有する請求項１又は２記載の移動阻止構造。
【請求項４】
前記第２の規制凸部は前記分断片の分断端と対向する分断端に突設してある請求項３記載の移動阻止構造。
【請求項５】
前記分断片は離隔した二つのスリットにより折曲げを可能に分断されており、前記第２の規制凸部は前記分断片の両側の分断端と対向する分断端に各突設されている請求項３記載の移動阻止構造。
【請求項６】
箱体内に収容される緩衝体の前記箱体に対する移動を阻止する移動阻止構造において、前記緩衝体と対向すべき箇所にスリットを有する板部と、前記スリットにより折曲げを可能に分断されている分断片を弾性復元を可能に略Ｖ字形に折曲げてなり、前記緩衝体と係合すべき折曲片、及び前記分断片の分断端と対向する分断端に突設され、前記折曲片の弾性復元を規制する規制凸部とを有することを特徴とする移動阻止構造。
【請求項７】
前記分断片は離隔した二つのスリットにより折曲げを可能に分断されており、前記規制凸部は前記分断片の両側の分断端と対向する分断端に各突設されている請求項６記載の移動阻止構造。
【請求項８】
略直方体をなす段ボール箱と、該段ボール箱内に収容されている薄型テレビジョンと、該薄型テレビジョンの下側及び上側の少なくとも一方に配置されている緩衝体と、請求項１乃至７のいずれか一つに記載の移動阻止構造とを備えることを特徴とするテレビジョン装置。
【発明の詳細な説明】
【技術分野】
【０００１】
本発明は段ボール箱等の箱体に収容して包装される電気機器などの被包装物に外部から加わる力を緩衝するために前記箱体内に収容される緩衝体が箱体内で移動するのを止める移動阻止構造、及びこれを備えるテレビジョン装置に関する。
【背景技術】
【０００２】
薄型テレビジョン等の電気機器を段ボール箱に収容して包装する場合、電気機器の下部外面と段ボール箱の下部内面との間、及び電気機器の上部外面と段ボール箱の上部内面との間に複数の緩衝体を横方向に離隔して配置し、外部から段ボール箱を経て電気機器に加わる力を緩衝するように構成されている（例えば、特許文献１、２参照）。
【０００３】
特許文献１の移動阻止構造は、両側面に係止凹部を有し、箱体内の両側に配置される二つの緩衝体が相互に接近する方向へ移動するのを止めるもので、段ボール箱の両側板の下部に、緩衝体の係止凹部に嵌入される切起片が設けられている。
【０００４】
また、特許文献２の移動阻止構造は、箱体内の四隅に配置される四つの緩衝体の２個が相互に接近する方向へ移動するのを止めるもので、略矩形をなす段ボール板が略Ｖ字形に折曲げられ、その両端にＬ形凹部を有する移動止板を２個の緩衝体間に配置し、該移動止板のＬ形凹部を緩衝体夫々の角部に係合させることにより緩衝体夫々が相互に接近する方向へ移動するのを止めるように構成されている。
【０００５】
図１４は従来のテレビジョン装置、及びこれに用いられる移動阻止構造の構成を示す斜視図である。比較的大形の薄型テレビジョンを備えるテレビジョン装置にあっては、薄型液晶テレビジョン１００の下両端部及び下中央部と直方体をなす段ボール箱１０１の下部内面との間に二つの端緩衝体１０２，１０３、中央緩衝体１０４、及び中央緩衝体１０４の横方向への移動を阻止する移動止板１０５が配置されており、薄型液晶テレビジョン１００の上両端部と段ボール箱１０１の上部内面との間に二つの端緩衝体１０６，１０６が配置されている。
【０００６】
下側の端緩衝体１０２，１０３は薄型液晶テレビジョン１００の下角部が嵌入される断面Ｌ字形の凹所が上面に設けられており、下側の中央緩衝体１０４は薄型液晶テレビジョン１００の横方向中央部が嵌入される断面Ｕ字形の凹所が上面に設けられ、且つ底面に係止凹部が設けられている。また、移動止板１０５は中央緩衝体１０４の係止凹部に嵌入される折曲片１０７が長手方向の中央に設けられている。この移動止板１０５の折曲片１０７はコ字形をなすスリット内の分断片をＶ字形に折曲げることにより形成されている。
【特許文献１】特開２００２−２８４１４８号公報
【特許文献２】実用新案登録第３０８０６５２号公報
【発明の開示】
【発明が解決しようとする課題】
【０００７】
ところが、特許文献１のように段ボール箱の両側板に切起片が設けられている移動阻止構造にあっては、切起片が弾性復元し、該切起片の切起し状態を維持するのが難しいという問題がある。また、特許文献２のように段ボール板がＶ字形に折曲げられている移動止板を備える移動阻止構造にあっては、移動止板が弾性復元し、該移動止板の折曲げ状態を維持するのが難しいという問題がある。
【０００８】
図１４に示すように折曲片１０７を有する移動止板１０５を備える従来の移動阻止構造にあっては、折曲片１０７が弾性復元し、該折曲片１０７の折曲状態を維持するのが難しいという問題があり、また、図１４に示す移動阻止構造は中央緩衝体１０４の移動を阻止するもので、下側の端緩衝体１０２，１０３の移動を阻止することができないため、二つの端緩衝体１０２，１０３、中央緩衝体１０４及び移動止板１０５が内部の所定位置に載置されている段ボール箱１０１が、薄型液晶テレビジョン１００が包装される包装工程へ搬送される際、振動等により端緩衝体１０２，１０３が接近方向へ移動し、端緩衝体１０２，１０３の定位置が狂うことになる。因って、薄型液晶テレビジョン１００を段ボール箱１０１内に挿入して包装する際、再び端緩衝体１０２，１０３を定位置へ移動させる必要があり、包装の自動化に支障を来すことになり、改善策が要望されていた。
【０００９】
本発明は斯かる事情に鑑みてなされたものであり、主たる目的は緩衝体と対向すべき板部が弾性復元を可能に略Ｖ字形に折曲げられている折曲片が折曲基部を中心として移動するのを規制する規制凸部を設けることにより、箱体に振動が加わる際でも折曲片の緩衝体との係合状態を維持することができる移動阻止構造を提供することにある。
【００１０】
また、他の目的はスリットにより折曲げを可能に分断されている分断片を弾性復元を可能に折曲げることにより折曲片を形成し、前記分断片の分断端に規制凸部を突設することにより、規制凸部用の加工工程が必要でなく、しかも、分断片を折曲げる折曲げ操作の延長上で折曲片の折曲基部を中心とする移動を規制することができる移動阻止構造を提供することにある。
【００１１】
また、他の目的は折曲片の弾性復元を規制する第２の規制凸部を設けることにより、折曲片の板部に対する高さを維持することができることと相俟って折曲片の緩衝体との係合状態を最適に維持することができる移動阻止構造を提供することにある。
【００１２】
また、他の目的は分断片の分断端と対向する分断端に第２の規制凸部を突設することにより、第２の規制凸部用の加工工程が必要でなく、しかも、分断片を折曲げる折曲げ操作の延長上で折曲片の折曲げ角度を維持することができる移動阻止構造を提供することにある。
【００１３】
また、他の目的は離隔した二つのスリットにより折曲げを可能に分断された分断片を設け、該分断片の両側の分断端と対向する分断端に第２の規制凸部を各突設することにより、折曲片の折曲げ角度をより一層強く維持することができる移動阻止構造を提供することにある。
【００１４】
また、他の目的はスリットにより折曲げを可能に分断されている分断片を弾性復元を可能に略Ｖ字形に折曲げてなる折曲片を形成し、該折曲片の弾性復元を規制する規制凸部を前記分断片の分断端と対向する分断端に突設することにより、箱体に振動が加わる際でも緩衝体の移動を阻止することができる移動阻止構造を提供することにある。
【００１５】
また、他の目的は離隔した二つのスリットにより折曲げを可能に分断された分断片を設け、該分断片の両側の分断端と対向する分断端に規制凸部を各突設することにより、折曲片の折曲げ角度をより一層強く維持することができる移動阻止構造を提供することにある。
【００１６】
また、他の目的は略直方体をなす段ボール箱、又は段ボール箱内に収容されて緩衝体の移動を阻止する移動止板に上述の移動阻止構造を設けることにより、振動による緩衝体の移動を防ぐことができ、薄型テレビジョンの包装を自動化することができるテレビジョン装置を提供することにある。
【課題を解決するための手段】
【００１７】
本発明に係る移動阻止構造は、箱体内に収容される緩衝体の前記箱体に対する移動を阻止する移動阻止構造において、前記緩衝体と対向すべき板部が弾性復元を可能に略Ｖ字形に折曲げられ、前記緩衝体と係合すべき折曲片、及び該折曲片の折曲基部を中心とする移動を規制する規制凸部を有することを特徴とする。
【００１８】
この発明にあっては、緩衝体と係合する折曲片が折曲基部を中心として移動するのを規制してあるため、折曲片の板部に対する高さを維持することができ、折曲片の緩衝体との係合状態を維持することができ、箱体に振動が加わる際でも緩衝体の移動を阻止することができる。
【００１９】
また、本発明に係る移動阻止構造は、前記折曲片は、スリットにより折曲げを可能に分断されている分断片を弾性復元を可能に折曲げてなり、前記規制凸部は前記分断片の分断端に突設されていることを特徴とする。
【００２０】
この発明にあっては、折曲片を形成するためのスリットにより規制凸部を設けることができるため、規制凸部用の加工工程が必要でなく、また、スリットにより分断されている分断片を折曲げることにより、折曲片の折曲基部を中心とする移動を規制することができる。
【００２１】
また、本発明に係る移動阻止構造は、前記折曲片の弾性復元を規制する第２の規制凸部を有することを特徴とする。
【００２２】
この発明にあっては、緩衝体と係合する折曲片が弾性復元するのを規制してあるため、折曲片の折曲げ角度を維持することができ、折曲片の板部に対する高さを維持することができることと相俟って折曲片の緩衝体との係合状態を最適に維持することができ、被包装物の包装の自動化を図ることができる。
【００２３】
また、本発明に係る移動阻止構造は、前記第２の規制凸部は前記分断片の分断端と対向する分断端に突設してあることを特徴とする。
【００２４】
この発明にあっては、折曲片を形成するためのスリットにより第２の規制凸部を設けることができるため、第２の規制凸部用の加工工程が必要でなく、また、スリットにより分断されている分断片を折曲げることにより、折曲片の折曲げ角度を維持することができる。
【００２５】
また、本発明に係る移動阻止構造は、前記分断片は離隔した二つのスリットにより折曲げを可能に分断されており、前記第２の規制凸部は前記分断片の両側の分断端と対向する分断端に各突設されていることを特徴とする。
【００２６】
この発明にあっては、折曲片の弾性復元を、該折曲片の両側で規制してあるため、折曲片の折曲げ角度をより一層強く維持することができ、また、折曲片を形成するための二つのスリットにより第２の規制凸部夫々を設けることができるため、第２の規制凸部夫々用の加工工程が必要でなく、また、スリット夫々により分断されている分断片を折曲げることにより、折曲片の折曲げ角度を維持することができる。
【００２７】
また、本発明に係る移動阻止構造は、箱体内に収容される緩衝体の前記箱体に対する移動を阻止する移動阻止構造において、前記緩衝体と対向すべき箇所にスリットを有する板部と、前記スリットにより折曲げを可能に分断されている分断片を弾性復元を可能に略Ｖ字形に折曲げてなり、前記緩衝体と係合すべき折曲片、及び前記分断片の分断端と対向する分断端に突設され、前記折曲片の弾性復元を規制する規制凸部とを有することを特徴とする。
【００２８】
この発明にあっては、緩衝体と係合する折曲片が弾性復元するのを規制してあるため、折曲片の折曲げ角度を維持することができ、折曲片の緩衝体との係合状態を維持することができ、被包装物の包装の自動化を図ることができる。
【００２９】
また、本発明に係る移動阻止構造は、前記分断片は離隔した二つのスリットにより折曲げを可能に分断されており、前記規制凸部は前記分断片の両側の分断端と対向する分断端に各突設されていることを特徴とする。
【００３０】
この発明にあっては、折曲片の弾性復元を、該折曲片の両側で規制してあるため、折曲片の折曲げ角度をより一層強く維持することができ、また、折曲片を形成するための二つのスリットにより規制凸部夫々を設けることができるため、規制凸部夫々用の加工工程が必要でなく、また、スリット夫々により分断されている分断片を折曲げることにより、折曲片の折曲げ角度を維持することができる。
【００３１】
また、本発明に係るテレビジョン装置は、略直方体をなす段ボール箱と、該段ボール箱内に収容されている薄型テレビジョンと、該薄型テレビジョンの下側及び上側の少なくとも一方に配置されている緩衝体と、前述の発明の移動阻止構造とを備えることを特徴とする。
【００３２】
この発明にあっては、緩衝体と係合する折曲片の板部に対する高さを維持することができ、折曲片の折曲げ角度を維持することができ、折曲片の緩衝体との係合状態を維持することができるため、被包装物の包装の自動化を図ることができる。
【発明の効果】
【００３３】
本発明によれば、規制凸部により折曲片の板部に対する高さを維持することができるため、折曲片の緩衝体との係合状態を維持することができ、箱体に振動が加わる際でも緩衝体の移動を阻止することができる。
【００３４】
また、本発明によれば、折曲片を形成するためのスリットにより規制凸部を設けることができるため、規制凸部用の加工工程が必要でなく、コストを低減できる。しかも、スリットにより分断されている分断片を折曲げる折曲げ操作の延長上で折曲片の折曲基部を中心とする移動を規制することができ、作業性を向上できる。
【００３５】
また、本発明によれば、第２の規制凸部により折曲片の折曲げ角度を維持することができるため、折曲片の板部に対する高さを維持することができることと相俟って折曲片の緩衝体との係合状態を最適に維持することができ、被包装物の包装の自動化を図ることができる。
【００３６】
また、本発明によれば、第２の規制凸部用の加工工程が必要でなく、コストを低減できる。しかも、スリットにより分断されている分断片を折曲げる折曲げ操作の延長上で折曲片の折曲げ角度を維持することができ、作業性を向上できる。
【００３７】
また、本発明によれば、第２の規制凸部夫々により折曲片の折曲げ角度をより一層強く維持することができ、しかも、第２の規制凸部夫々用の加工工程が必要でなく、コストを低減できる。
【００３８】
また、本発明によれば、規制凸部により折曲片の折曲げ角度を維持することができるため、折曲片の緩衝体との係合状態を維持することができ、箱体に振動が加わる際でも緩衝体の移動を阻止することができる。
【００３９】
また、本発明によれば、規制凸部夫々により折曲片の折曲げ角度をより一層強く維持することができ、しかも、規制凸部夫々用の加工工程が必要でなく、コストを低減できる。
【００４０】
また、本発明によれば、緩衝体と係合する折曲片の板部に対する高さを維持することができ、また、折曲片の折曲げ角度を維持することができるため、折曲片の緩衝体との係合状態を維持することができ、被包装物の包装の自動化を図ることができる。
【発明を実施するための最良の形態】
【００４１】
以下本発明をその実施の形態を示す図面に基づいて詳述する。
実施の形態１
図１は本発明に係るテレビジョン装置、及びこれに用いられる移動阻止構造の構成を示す斜視図、図２はテレビジョンが収容されていない状態の構成を示す斜視図、図３は移動阻止構造と緩衝体との関係を示す底面側の斜視図である。
【００４２】
図１に示したテレビジョン装置は、上部に開閉が可能な四つのフラップ２ａ〜２ｄを有し、略直方体をなす段ボール箱２と、該段ボール箱２内に収容される薄型液晶テレビジョン３と、該薄型液晶テレビジョン３の下両端部と段ボール箱２の下部内面との間に配置される二つの端緩衝体４，５と、薄型液晶テレビジョン３の下中央部と段ボール箱２の下部内面との間に配置され、下面に係止凹部６１を有する中央緩衝体６と、段ボール箱２に対する端緩衝体４，５及び中央緩衝体６夫々の相互に接近する方向への移動を阻止する移動止板１と、薄型液晶テレビジョン３の上両端部と段ボール箱２の上部内面との間に配置される二つの端緩衝体７，７とを備える。尚、段ボール箱２が箱体を構成している。
【００４３】
図４は移動止板の構成を示す平面図、図５は折曲片部分の構成を示す拡大平面図、図６は折曲片の折曲げ過程を示す説明図、図７は折曲片が折曲げられている構成を示す斜視図、図８は折曲片の弾性復元及び移動を規制している部分の拡大斜視図、図９は図７のIX−IX線の断面図である。
【００４４】
移動止板１は、段ボール板を略矩形（短冊形）に切断してなる板部１１と、該板部１１の長手方向両端部に折曲げにより形成されている第１の折曲片１２，１２と、板部１１の長手方向中央部に折曲げにより形成されている第２の折曲片１３とを有する。
【００４５】
第１の折曲片１２，１２は、板部１１の両端末と離隔した位置でスリット１ａ，１ａ，１ｂにより略コ字形に分断されている分断片１２ａ，１２ａを、図７に示すように分断片１２ａ，１２ａの中央部で略Ｖ字形に折曲げることにより形成されている。また、折曲片１２，１２は折曲基部が板部１１の長手方向に沿うように配されている。
【００４６】
各分断片１２ａは、図４、図５に示すように前記長手方向へ離隔して並置されている二つのスリット１ａ，１ａと、スリット１ａ，１ａ夫々の一端に連なるスリット１ｂとにより略コ字形に分断されており、スリット１ａ，１ａにより分断されている二つの分断端１１ａ，１１ａ、１２ｂ，１２ｂのうち、各分断片１２ａの一方の分断端１２ｂには、該分断端１２ｂから板部１１側へ突出し、各分断片１２ａが折曲げられた際に板部１１の一面に当接する規制凸部１４が設けられている。
【００４７】
規制凸部１４は、板部１１の一面に当接することにより各折曲片１２が折曲基部から移動するのを規制するもので、図５に示すように一つのスリット１ａの一端側（スリット１ｂ側）を他端側に対して分断片１２ａと反対側へ傾斜させることにより各折曲片１２の先側角部（分断片１２ａのスリット１ｂ側角部）に形成されている。また、規制凸部１４は図５に示すように各折曲片１２の先側角部を若干窪ませることにより形成されている。
【００４８】
二つのスリット１ａ，１ａにより分断されている二つの分断端１１ａ，１１ａ、１２ｂ，１２ｂのうち、板部１１の分断端１１ａ，１１ａには、該分断端１１ａ，１１ａから各分断片１２ａ側へ突出し、各分断片１２ａが折曲げられた際に各折曲片１２の先側角部が当接して各折曲片１２の弾性復元を規制する第２の規制凸部１５が設けられている。
【００４９】
二つのスリット１ａ，１ａは長手方向の途中が各分断片１２ａ側へ略Ｖ字状に突出するように分断されており、板部１１の分断端１１ａ，１１ａの凸部を第２の規制凸部１５としてあり、各折曲片１２の一方の分断端１２ｂを規制凸部１５で係止することができるようになしてある。
【００５０】
第２の折曲片１３は、板部１１の長手方向中央部でスリット１ｃにより略コ字形に分断されている分断片１３ａを、該分断片１３ａの中央部で略Ｖ字形に折曲げることにより形成されている。
【００５１】
下側の端緩衝体４，５、中央緩衝体６及び上側の端緩衝体７，７は発泡スチロール材を成形してなり、下側の端緩衝体４，５の上部には薄型液晶テレビジョン３の角部が嵌入される断面Ｌ字形の凹所４ａ，５ａが設けられており、下部には移動止板１の厚さに対応する深さの溝４ｂ，５ｂが設けられている。また、中央緩衝体６の上部には薄型液晶テレビジョン３の横方向中央部に垂下されているスタンド３１が嵌入される断面Ｕ字形の凹所６ａが設けられており、下面には移動止板１の厚さに対応する深さの溝６ｂ及び該溝６ｂ内で窪む長孔状の係止凹部６１が設けられている。また、上側の端緩衝体７，７の下部には薄型液晶テレビジョン３の角部が嵌入される断面Ｌ字形の凹所が設けられている。
【００５２】
以上のように構成された移動阻止構造では、分断片１２ａ，１２ａを折曲げて折曲片１２，１２を形成する場合、図６に示すように各分断片１２ａを板部１１の一面側へ折曲げ、各分断片１２ａの先側を板部１１の他面側へ折曲げることにより略Ｖ字形にでき、各折曲片１２を若干弾性復元させることにより各折曲片１２の分断端１２ｂを第２の規制凸部１５に当接させることができるとともに規制凸部１４を板部１１の一面に当接させることができる。換言すると各分断片１２ｂの折曲げ操作の延長上で各折曲片１２の弾性復元及び折曲基部を中心とする移動を規制することができる。
【００５３】
また、以上のように構成されたテレビジョン装置は、略直方体をなす段ボール箱２内の底面に移動止板１が載置された後、下側の端緩衝体４，５及び中央緩衝体６が段ボール箱２内に挿入される。中央緩衝体６は第２の折曲片１３が係止凹部６１に嵌入され、横方向への移動が規制される。端緩衝体４，５は移動止板１の長手方向両端部上に載置され、端緩衝体４，５の内側面が第１の折曲片１２，１２と係合し、端緩衝体４，５の相互に接近する方向への移動が規制される。
【００５４】
この際、移動止板１の各折曲片１２は、板部１１に対して略Ｖ字形に折曲げられ、各折曲片１２の規制凸部１４が板部１１の一面に当接し、各折曲片１２が折曲基部から移動するのを規制してあるため、各折曲片１２の板部１１に対する高さが維持されており、さらに、略Ｖ字形に折曲げられている各折曲片１２の一方の分断端１２ｂが第２の規制凸部１５に当接し、各折曲片１２が弾性復元するのを規制してあるため、各折曲片１２の折曲げ角度が維持されている。
【００５５】
因って、端緩衝体４，５、中央緩衝体６及び移動止板１が内部の所定位置に載置されている段ボール箱２が搬送ラインにより薄型液晶テレビジョンの包装工程へ搬送される際の振動により端緩衝体４，５が相互に接近する方向へ移動するのを防ぐことができ、薄型液晶テレビジョンの包装をロボットで行わせることができ、包装を自動化できる。
【００５６】
実施の形態２
図１０は本発明に係るテレビジョン装置、及びこれに用いられる移動阻止構造の他の構成を示す斜視図、図１１は段ボール箱の構成を示す展開図、図１２は段ボール箱の組立て過程を示す斜視図である。このテレビジョン装置は、移動止板１を設けることなく、段ボール箱２の下側の内フラップ２ｅ，２ｅに移動阻止構造を設けたものである。即ち、下側の二つの内フラップ２ｅ，２ｅに、スリット１ａ，１ａ，１ｂにより略コ字形に分断されている分断片１２ａ，１２ａと、規制凸部１４及び第２の規制凸部１５とを設け、分断片１２ａ，１２ａを略略Ｖ字形に折曲げることにより折曲片１２，１２を設け、該折曲片１２，１２の折曲基部を中心とする移動を規制凸部１４が止め、折曲片１２，１２の弾性復元を第２の規制凸部１５が止めるように構成してある。
【００５７】
このように構成されたテレビジョン装置は、段ボール箱２内の底面に二つの端緩衝体４，５が載置され、緩衝体４，５夫々の側面が折曲片１２，１２に係合し、端緩衝体４，５が相互に接近する方向へ移動するのを防ぐことができる。
その他の構成及び作用は図１〜９に示した実施の形態１と同様であるため、同様の部品については同じ符号を付し、その詳細な説明及び作用効果の説明を省略する。
【００５８】
実施の形態３
図１３は本発明に係る移動阻止構造の他の構成を示すもので、(a) は平面図、(b) は斜視図である。この移動阻止構造は折曲片１２，１２の折曲基部が移動止板１の長手方向と交差するように折曲片１２，１２を設け、折曲片１２，１２の折曲基部に前記端緩衝体の側面が係合するように構成したものである。
【００５９】
この移動阻止構造にあっては、折曲片１２，１２が移動止板１の長手方向に折曲げられているため、折曲片１２，１２の折曲基部に端緩衝体の側面を係合させることができ、折曲片１２，１２の折曲基部との接触面積を多くすることができるため、折曲片１２，１２の端緩衝体との係合抵抗が高い場合においても折曲片１２，１２の端末が端緩衝体の側面に食込むのを防ぐことができる。
その他の構成及び作用は図１〜９に示した実施の形態１と同様であるため、同様の部品については同じ符号を付し、その詳細な説明及び作用効果の説明を省略する。
【００６０】
尚、以上説明した実施の形態では段ボール箱２内に収容される移動止板１、又は段ボール箱２の下側の内フラップ２ｅ，２ｅに移動阻止構造を設けたが、その他、移動阻止構造は例えば段ボール箱２の一側の板部、両側の板部、上側の内フラップ、上側の端緩衝体の横移動を阻止する移動止板等に設けてもよく、移動阻止構造を設ける箇所は特に制限されない。
【００６１】
また、以上説明した実施の形態では移動止板１の周縁より離隔した箇所にスリット１ａ，１ａ，１ｂを設けたが、その他、離隔する二つのスリット１ａ，１ａを移動止板１の一縁から設け、スリット１ｂをなくしてスリット１ａ，１ａ間の分断片を折曲げることにより折曲片１２を形成するように構成してもよい。
【００６２】
また、以上説明した実施の形態では、規制凸部１４及び第２の規制凸部１５を備える移動阻止構造としたが、その他、規制凸部１４及び第２の規制凸部１５の一方をなくし、他方だけを備える移動阻止構造としてもよい。また、規制凸部１４は分断片１２ａの一方の分断端にだけ設ける他、両方の分断端に設けてもよい。また、第２の規制凸部１５は分断片１２ａの両方の分断端に設ける他、一方の分断端にだけ設けてもよい。
【００６３】
また、本発明に係るテレビジョン装置は薄型液晶テレビジョンを備える構成である他、薄型プラズマテレビジョンを備える構成であってもよい。
【図面の簡単な説明】
【００６４】
【図１】本発明に係るテレビジョン装置、及びこれに用いられる移動阻止構造の構成を示す斜視図である。
【図２】テレビジョンが収容されていない状態の構成を示す斜視図である。
【図３】本発明に係る移動阻止構造と緩衝体との関係を示す底面側の斜視図である。
【図４】移動止板の構成を示す平面図である。
【図５】折曲片部分の構成を示す拡大平面図である。
【図６】折曲片の折曲げ過程を示す説明図である。
【図７】折曲片が折曲げられている構成を示す斜視図である。
【図８】折曲片の弾性復元及び移動を規制している部分の拡大斜視図である。
【図９】図７のIX−IX線の断面図である。
【図１０】本発明に係るテレビジョン装置、及びこれに用いられる移動阻止構造の他の構成を示す斜視図である。
【図１１】本発明に係るテレビジョン装置の段ボール箱の構成を示す展開図である。
【図１２】段ボール箱の組立て過程を示す斜視図である。
【図１３】本発明に係る移動阻止構造の他の構成を示すもので、(a) は平面図、(b) は斜視図である。
【図１４】従来のテレビジョン装置、及びこれに用いられる移動阻止構造の構成を示す斜視図である。
【符号の説明】
【００６５】
１ａ  スリット
１１  板部
１１ａ  分断端
１２  折曲片
１２ａ  分断片
１２ｂ  分断端
１４  規制凸部
１５  第２の規制凸部
２    段ボール箱（箱体）
３    薄型テレビジョン
４，５  端緩衝体（緩衝体）
【図１】
2008222268.tif 000003
【図２】
2008222268.tif 000004
【図３】
2008222268.tif 000005
【図４】
2008222268.tif 000006
【図５】
2008222268.tif 000007
【図６】
2008222268.tif 000008
【図７】
2008222268.tif 000009
【図８】
2008222268.tif 000010
【図９】
2008222268.tif 000011
【図１０】
2008222268.tif 000012
【図１１】
2008222268.tif 000013
【図１２】
2008222268.tif 000014
【図１３】
2008222268.tif 000015
【図１４】
2008222268.tif 000016